(57)【要約】【課題】  遮水層の漏水位置を正確に検知することができる漏水検知方法を提供することを課題とする。【解決手段】  内部土壌４（内部構造物）と外部土壌２（外部構造物）とを区分する遮水シート３（遮水層）の漏水位置を検知する漏水検知方法であって、内部土壌４には、複数の電位測定電極１０および内部電極１３が設けられ、外部土壌２には、外部電極１４が設けられており、一の電位測定電極１０ａと外部電極１４との間に通電した際に、他の電位測定電極１０ｂに生じる電位差から、一の電位測定電極１０ａと内部電極１３との間に通電した際に、他の電位測定電極１０ｂに生じる電位差を差し引くことにより、他の電位測定電極１０ｂの測定電位を求め、各電位測定電極１０において測定電位の算出を繰り返し、各電位測定電極１０における測定電位に基づいて求めた電位分布から、遮水シート３の漏水位置を検知することを特徴としている。【選択図】      図１
2006126108.tif 000002
【特許請求の範囲】
【請求項１】
内部構造物と外部構造物とを区分する遮水層の漏水位置を検知する漏水検知方法であって、
前記内部構造物には、複数の電位測定電極および内部電極が設けられ、
前記外部構造物には、外部電極が設けられ、
前記外部構造物または前記内部構造物には、基準電極が設けられており、
一の前記電位測定電極と前記外部電極との間に通電した際に、他の前記電位測定電極と前記基準電極との間に生じる電位差から、
一の前記電位測定電極と前記内部電極との間に通電した際に、他の前記電位測定電極と前記基準電極との間に生じる電位差を差し引くことにより、他の前記電位測定電極の測定電位を求め、
前記各電位測定電極において前記測定電位の算出を繰り返すことにより、前記各電位測定電極における前記測定電位を求め、前記各測定電位に基づいて求めた電位分布から、前記遮水層の漏水位置を検知することを特徴とする漏水検知方法。
【請求項２】
前記遮水層は第１の層と第２の層とから構成された二重層であり、
前記外部電極が前記第１の層と前記第２の層との間の層間部に設けられており、
前記電位分布から前記第１の層の漏水位置を検知することを特徴とする請求項１に記載の漏水検知方法。
【請求項３】
内部構造物と外部構造物とを区分する遮水層の漏水位置を検知する漏水検知方法であって、
前記遮水層は第１の層と第２の層とから構成された二重層であり、
前記第１の層と前記第２の層の層間部には、複数の電位測定電極および層間電極が設けられ、
前記内部構造物には、内部電極が設けられ、
前記外部構造物には、外部電極が設けられ、
前記外部構造物または前記内部構造物あるいは前記層間部には、基準電極が設けられており、
一の前記電位測定電極と前記内部電極との間に通電した際に、他の前記電位測定電極と前記基準電極との間に生じる電位差から、
一の前記電位測定電極と前記層間電極との間に通電した際に、他の前記電位測定電極と前記基準電極との間に生じる電位差を差し引くことにより、他の前記電位測定電極の第１の測定電位を求め、
一の前記電位測定電極と前記外部電極との間に通電した際に、他の前記電位測定電極と前記基準電極との間に生じる電位差から、
一の前記電位測定電極と前記層間電極との間に通電した際に、他の前記電位測定電極と前記基準電極との間に生じる電位差を差し引くことにより、他の前記電位測定電極の第２の測定電位を求め、
前記各電位測定電極において前記第１の測定電位の算出を繰り返すことにより、前記各電位測定電極における前記第１の測定電位を求め、前記各第１の測定電位に基づいて求めた第１の電位分布から、前記第１の層の漏水位置を検知するとともに、
前記各電位測定電極において前記第２の測定電位の算出を繰り返すことにより、前記各電位測定電極における前記第２の測定電位を求め、前記各第２の測定電位に基づいて求めた第２の電位分布から、前記第２の層の漏水位置を検知することを特徴とする漏水検知方法。
【発明の詳細な説明】
【技術分野】
【０００１】
本発明は、遮水層を境にして内部構造物と外部構造物とに区分された遮水構造物において、遮水層の漏水位置を検知する漏水検知方法に関する。
【背景技術】
【０００２】
内部土壌（内部構造物）と外部土壌（外部構造物）との境に設けた遮水シート（遮水層）の漏水位置を検知する漏水検知方法としては、内部土壌に設けた内部電極と、外部土壌に設けた外部電極との間に通電し、内部土壌に設けた複数の電位測定電極と、外部土壌に設けた基準電極との間の電位差を測定することにより、各電位測定電極の測定電位を求め、各測定電位に基づいて内部土壌の電位分布を作成し、この電位分布の歪みから遮水シートの漏水位置を検知する方法がある（例えば、特許文献１参照）。
【０００３】
ここで、前記した検知方法を、埋め立て開始前の処分場など、内部土壌の比抵抗が高い土壌に適用した場合には、その比抵抗によって、内部土壌に固定された内部電極と、内部電極から遠く離れた場所との間の電位降下が大きくなり、内部電極から遠く離れた場所では遮水シートの表裏に電圧が殆ど掛からなくなってしまう。そのため、遮水シートが損傷して穴が開いている場合であっても、この穴を通過する電流が殆ど流れず、この電流によって生じる電位分布の歪みも発生しないため、電位分布の歪みから漏水位置を検知することが困難になってしまうという問題がある。
【０００４】
そこで、内部土壌に設けた複数の電位測定電極と、外部土壌に設けた外部電極との間に各々通電し、各電位測定電極と、外部土壌に設けた基準電極との間の電位差を測定することにより、各電位測定電極の測定電位を求め、各測定電位に基づいて内部土壌の電位分布を作成し、この電位分布の歪みから遮水シートの漏水位置を検知する方法がある。
この検知方法では、内部土壌への給電位置と、測定電位の測定位置とが同一であるため、内部土壌の比抵抗による電位降下を考慮することなく、各電位測定電極の測定電位を求めることができる。
【０００５】
なお、直径が１０ｃｍ程度の銅製の電位測定電極を用いた場合には、その電位測定電極の接地抵抗は数Ω〜数万Ωの間で変化することになる。このとき、遮水シートの漏水位置における抵抗値が数十Ω〜数千Ωであることを考慮すると、内部土壌への給電位置と、測定電位の測定位置とを同一にした前記検知方法では、電位測定電極の接地抵抗が測定結果に大きく影響してしまうため、漏水位置を正確に検知することができないという問題がある。
【０００６】
そのため、図６に示すように、測定対象である電位測定電極１０ａに対して２本の電位測定電極１０ｂ，１０ｃを均等間隔で直線的に並設し、電位測定電極１０ａと電位測定電極１０ｃとの間に通電して、電位測定電極１０ａと電位測定電極１０ｂとの間の電位差を測定することにより、電位測定電極１０ａの接地抵抗による電位降下を求めている検知方法がある（例えば、特許文献２参照）。
この検知方法では、測定電位から接地抵抗による電位降下を除くことにより、接地抵抗の影響を除去した測定電位を求め、この測定電位から内部土壌４の電位分布を求めて遮水シート３の漏水位置を検知している。
【特許文献１】特公平６−６３９０１号公報（第２頁左欄第５０行目〜右欄第６行目、第１図）
【特許文献２】特開２００１−３３０５３１号公報（段落００１２、図１、図２）
【発明の開示】
【発明が解決しようとする課題】
【０００７】
しかしながら、電位測定電極の接地抵抗は、遮水シート３の漏水位置における抵抗値よりも非常に大きい値となる場合があるため、電位測定電極１０ａと電位測定電極１０ｃとの間に通電した際に、電位測定電極１０ａと電位測定電極１０ｂとの間の電位差を正確に測定し、接地抵抗による電位降下を正確に把握する必要がある。
そこで、前記した検知方法では、電位測定電極１０ａと電位測定電極１０ｃとの間の中間位置に電位測定電極１０ｂを設置し、各電位測定電極１０ａ，１０ｂ，１０ｃの間における比抵抗の条件を揃える必要がある。例えば、電位測定電極１０ｂが電位測定電極１０ａと電位測定電極１０ｃとの中間位置に配置されておらず、電位測定電極１０ｂが中間位置よりも電位測定電極１０ａに近い場合には、実際の接地抵抗による電位差よりも小さい値となり、電位測定電極１０ｂが中間位置よりも離れている場合には、実際の接地抵抗による電位差よりも大きい値となってしまう。
【０００８】
また、電位測定電極１０ａと電位測定電極１０ｃとの間に通電した際に、電位測定電極１０ａおよび電位測定電極１０ｃの等電位線は、電位測定電極１０ａと電位測定電極１０ｃとを結ぶ直線軸の軸方向に歪んでいるため、電位測定電極１０ａ，１０ｂ，１０ｃが直線上に配置されていない場合には、歪みの影響によって、接地抵抗による電位差を正確に測定することが困難になってしまう。
【０００９】
さらに、電位測定電極１０ａが内部土壌の端部に近い場合には、内部土壌の端部の影響を受けて、電位分布が歪んでしまうため、電位測定電極１０ａ，１０ｂ，１０ｃが等間隔で直線上に配置されていても、その歪みの影響によって、接地抵抗による電位差を正確に測定することが困難になってしまう問題もある。
【００１０】
このように、前記した検知方法では、３本の電位測定電極１０ａ，１０ｂ，１０ｃを均等間隔で直線的に並設する必要があるが、内部土壌４の形状が複雑な場合には、内部土壌４に設けた全ての電位測定電極１０を均等間隔で直線的に並設することが困難である。
したがって、前記した検知方法では、内部土壌の形状による影響や、電位測定電極１０ａ，１０ｂ，１０ｃを等間隔で直線的に配置することが困難であることから、電位測定電極１０ａの接地抵抗による電位降下を正確に把握することが困難であり、接地抵抗による影響を除去して電位分布を作成することが困難であるため、遮水シート３における漏水位置の検知精度が低くなってしまうという問題がある。
【００１１】
そこで、本発明では、前記した問題を解決し、内部構造物の形状や、各電位測定電極を配置する間隔、或いは位置等に影響されることなく、電位測定電極の接地抵抗による影響を除去した電位分布を求めることができ、この電位分布から遮水層の漏水位置を正確に検知することができる漏水検知方法を提供することを課題とする。
【課題を解決するための手段】
【００１２】
前記課題を解決するため、請求項１に記載の発明は、内部構造物と外部構造物とを区分する遮水層の漏水位置を検知する漏水検知方法であって、内部構造物には、複数の電位測定電極および内部電極が設けられ、外部構造物には、外部電極が設けられ、外部構造物または内部構造物には、基準電極が設けられており、一の電位測定電極と外部電極との間に通電した際に、他の電位測定電極と基準電極との間に生じる電位差から、一の電位測定電極と内部電極との間に通電した際に、他の電位測定電極と基準電極との間に生じる電位差を差し引くことにより、他の電位測定電極の測定電位を求め、各電位測定電極において測定電位の算出を繰り返すことにより、各電位測定電極における測定電位を求め、各測定電位に基づいて求めた電位分布から、遮水層の漏水位置を検知することを特徴としている。
【００１３】
ここで、各電極の形状、および材質は限定されるものではなく、各種既存の電極を用いることができる。また、各電極間の接続、および通電は、既存の方法によって行われており、電位差も既存の電位測定計を用いて測定される。
【００１４】
このように、本発明の漏水検知方法では、一の電位測定電極と外部電極との間に通電した際に、他の電位測定電極と基準電極との間に生じる電位差から、一の電位測定電極と内部電極との間に通電した際に、他の電位測定電極と基準電極との間に生じる電位差を差し引くことにより、測定対象である他の電位測定電極の測定電位を求めている。
なお、他の電位測定電極に生じる電位差の測定は、他の電位測定電極に接続した電位測定計によって測定することになる。このとき、電位測定計の内部抵抗によって、他の電位測定電極には殆ど電流が流れないため、他の電位測定電極の接地抵抗を考慮する必要がない。
また、通電する一の電位測定電極と、測定対象である他の電位測定電極との間隔は、測定電位が内部構造物の比抵抗の影響を大きく受けないように、他の電位測定電極の近傍に設けた一の電位測定電極を選択することが好ましい。
【００１５】
これにより、本発明の漏水検知方法では、一の電位測定電極に通電した際に、他の電位測定電極と基準電極との間に生じる電位差を測定しているため、内部構造物の比抵抗が高い場合であっても、その比抵抗による電位降下の影響が少なくなり、正確な電位分布を簡易に求めることができる。
さらに、電位測定電極の測定電位を求める際に、別の作業によって電位測定電極の接地抵抗を求めることなく、接地抵抗による影響を除去した測定電位を求めることができる。そのため、複数の電位測定電極を均等間隔で直線的に並設する必要がなくなり、内部構造物の形状や、各電位測定電極を配置する間隔、或いは位置等に影響されることなく、電位測定電極の接地抵抗による影響を除去した電位分布を簡易に求めることができる。
このようにして求めた電位分布では、遮水層の漏水位置における電位歪が明確に示されることになる。
【００１６】
また、請求項２に記載の発明は、請求項１に記載の漏水検知方法であって、遮水層は第１の層と第２の層とから構成された二重層であり、外部電極が第１の層と第２の層との間の層間部に設けられており、電位分布から第１の層の漏水位置を検知することを特徴としている。
【００１７】
このように、本発明の漏水検知方法では、外部電極を第１の層と第２の層との間の層間部に設けることにより、第１の層を介して通電した電流による測定電位に基づいて電位分布を作成することができるため、第１の層の漏水位置を検知することができる。
【００１８】
また、請求項３に記載の発明は、請求項１に関連する発明であり、内部構造物と外部構造物とを区分する遮水層の漏水位置を検知する漏水検知方法であって、遮水層は第１の層と第２の層とから構成された二重層であり、第１の層と第２の層の層間部には、複数の電位測定電極および層間電極が設けられ、内部構造物には、内部電極が設けられ、外部構造物には、外部電極が設けられ、外部構造物または内部構造物あるいは層間部には、基準電極が設けられており、一の電位測定電極と内部電極との間に通電した際に、他の電位測定電極と基準電極との間に生じる電位差から、一の電位測定電極と層間電極との間に通電した際に、他の電位測定電極と基準電極との間に生じる電位差を差し引くことにより、他の電位測定電極の第１の測定電位を求め、一の電位測定電極と外部電極との間に通電した際に、他の電位測定電極と基準電極との間に生じる電位差から、一の電位測定電極と層間電極との間に通電した際に、他の電位測定電極と基準電極との間に生じる電位差を差し引くことにより、他の電位測定電極の第２の測定電位を求め、各電位測定電極において第１の測定電位の算出を繰り返すことにより、各電位測定電極における第１の測定電位を求め、各第１の測定電位に基づいて求めた第１の電位分布から、第１の層の漏水位置を検知するとともに、各電位測定電極において第２の測定電位の算出を繰り返すことにより、各電位測定電極における第２の測定電位を求め、各第２の測定電位に基づいて求めた第２の電位分布から、第２の層の漏水位置を検知することを特徴としている。
【００１９】
このように、本発明の漏水検知方法では、第１の層を介して通電させた電流による第１の測定電位に基づいて作成した第１の電位分布と、第２の層を介して通電させた電流による第２の測定電位に基づいて作成した第２の電位分布とを求めることにより、第１の層および第２の層の漏水位置を別々に検知することができるため、二重層に形成された遮水層の漏水を正確に把握することができる。
【発明の効果】
【００２０】
このような漏水検知方法によれば、一の電位測定電極と外部電極との間に通電した際に、他の電位測定電極と基準電極との間に生じる電位差から、一の電位測定電極と内部電極との間に通電した際に、他の電位測定電極と基準電極との間に生じる電位差を差し引くことにより、測定対象である他の電位測定電極の測定電位を求めているため、内部構造物の比抵抗が高い場合であっても、その比抵抗による電位降下の影響が少なくなり、正確な電位分布を簡易に求めることができる。
さらに、別の作業によって他の電位測定電極の接地抵抗を求めることなく、接地抵抗による影響を除去した測定電位を求めることができる。これにより、複数の電位測定電極を均等間隔で直線的に並設する必要がなくなり、内部構造物の形状や、各電位測定電極を配置する間隔、或いは位置等に影響されることなく、接地抵抗の影響を除去した電位分布を簡易に求めることができる。このようにして求めた電位分布では、遮水層の漏水位置における電位歪が明確に示されるため、遮水層の漏水位置を正確に検知することができる。
【発明を実施するための最良の形態】
【００２１】
次に、本発明の実施形態について、適宜図面を参照しながら詳細に説明する。なお、各実施形態の説明において、同一の構成要素に関しては同一の符号を付し、重複した説明は省略するものとする。
【００２２】
［第１実施形態］
まず、本発明の第１実施形態について説明する。
図１は、第１実施形態の漏水検知方法に用いる各構成要素の概略を示した側断面図である。図２は、第１実施形態の漏水検知方法に用いる各構成要素の概略を示した平面図である。
本発明の漏水検知方法は、一般廃棄物または産業廃棄物の埋立地や貯水池などの遮水構造物に適用可能であり、第１実施形態では、遮水シート（請求項における「遮水層」）を境にして、処理土（埋立廃棄物、保護土、覆土等）である内部土壌（請求項における「内部構造物」）と、地盤である外部土壌（請求項における「外部構造物」）とに区分された埋設地に適用する場合を例にして説明する。
【００２３】
まず、第１実施形態の漏水検知方法に用いる各構成要素について説明する。
埋立地１は、図１および図２に示すように、外部土壌２に設けた掘削領域の底面および側面に遮水シート３が敷設されており、この遮水シート３上に内部土壌４が堆積されることにより、遮水シート３を境にして、内部土壌４と外部土壌２とが区分されている。
【００２４】
遮水シート３は、電気抵抗が大きなシートであり、その材質や厚さは限定されるものではなく、例えば、ゴム製のシートを用いることができる。
【００２５】
また、内部土壌４において、遮水シート３の上方近傍には、銅製の電位測定電極１０が１０ｍ〜２０ｍ間隔で設けられている。なお、遮水シート３の上方近傍に設けた各電位測定電極１０・・・は、遮水シート３の上面と接していてもよい。
さらに、第１実施形態では、各電位測定電極１０・・・が格子状に均等間隔で配置されているが、各電位測定電極１０・・・を均等間隔で直線的に並設する必要はなく、埋立地１の形状に対応させて配置することができ、その個数も限定されるものではない。
【００２６】
各電位測定電極１０・・・は、電線によって給電スキャナ１１に各々接続されている。また、給電スキャナ１１は、電線によって交流電源１２に接続されており、給電スキャナ１１の接点を切り替えることにより、特定の電位測定電極１０と交流電源１２とが接続されるように構成されている。
【００２７】
また、内部土壌４において、遮水シート３の上方近傍には、銅製の内部電極１３が設けられており、さらに、外部土壌２には、銅製の外部電極１４が埋設されている。
そして、交流電源１２は、切替スイッチ１５を介して電線によって内部電極１３および外部電極１４に接続されており、切替スイッチ１５の接点を切り替えることにより、交流電源１２と、内部電極１３または外部電極１４とが接続されるように構成されている。
【００２８】
さらに、各電位測定電極１０・・・は、電線によって測定スキャナ１６に各々接続されている。一方、外部土壌２には銅製の基準電極１７が埋設されており、測定スキャナ１６は、電線によって基準電極１７に接続されている。そして、測定スキャナ１６の接点を切り替えることにより、特定の電位測定電極１０と基準電極１７とが接続されるように構成されている。また、測定スキャナ１６と基準電極１７との間には電位測定計１８が介設されており、各電位測定電極１０・・・と基準電極１７との間の電位差を測定することができる。
【００２９】
なお、図１および図２は、第１実施形態の漏水検知方法に用いる各構成要素を簡略化しており、給電スキャナ１１が特定の電位測定電極１０ａ（以下、「一の電位測定電極」という）に接続され、測定スキャナ１６が特定の電位測定電極１０ｂ（以下、「他の電位測定電極」という）に接続された状態を示しており、これら以外の各電位測定電極１０・・・と、給電スキャナ１１または測定スキャナ１６との接続を省略している。
【００３０】
次に、前記した各構成要素を用いた漏水検知方法について説明する。
（電位測定工程）
まず、給電スキャナ１１の接点を切り替えて、一の電位測定電極１０ａと交流電源１２を接続するとともに、切替スイッチ１５の接点を切り替えて交流電源１２と外部電極１４を接続する。
また、測定スキャナ１６の接点を切り替えて、測定対象である他の電位測定電極１０ｂと基準電極１７を接続する。
このとき、給電スキャナ１１と接続する一の電位測定電極１０ａは、測定対象である他の電位測定電極１０ｂの最も近傍に設けられた電位測定電極１０ａを選択することが好ましい。
【００３１】
続いて、交流電源１２を発電させ、一の電位測定電極１０ａから遮水シート３および外部土壌２を介して外部電極１４に通電させることにより、一の電位測定電極１０ａと外部電極１４との間に通電する。
一方、交流電源１２の発電によって、他の電位測定電極１０ｂと基準電極１７との間に生じた電位差を電位測定計１８によって測定する。
【００３２】
さらに、交流電源１２の発電を停止した後に、切替スイッチ１５の接点を切り替えて交流電源１２と内部電極１３とを接続する。そして、交流電源１２を発電させ、一の電位測定電極１０ａから内部土壌４を介して内部電極１３に通電させることにより、一の電位測定電極１０ａと内部電極１３との間に通電する。
一方、交流電源１２の発電によって、他の電位測定電極１０ｂと基準電極１７との間に生じた電位差を電位測定計１８によって測定する。
【００３３】
このように、一の電位測定電極１０ａと外部電極１４との間に通電した際に、他の電位測定電極１０ｂと基準電極１７との間に生じる電位差、および、一の電位測定電極１０ａと内部電極１３との間に通電した際に、他の電位測定電極１０ｂと基準電極１７との間に生じる電位差を測定することにより、内部土壌４の比抵抗が高い場合であっても、その比抵抗による電位降下の影響が少なくなっている。
【００３４】
そして、一の電位測定電極１０ａと外部電極１４との間に通電した際に、他の電位測定電極１０ｂと基準電極１７との間に生じた電位差から、一の電位測定電極１０ａと内部電極１３との間に通電した際に、他の電位測定電極１０ｂと基準電極１７との間に生じた電位差を差し引くことにより、他の電位測定電極１０ｂの測定電位を求める。
このとき、電位測定計１８の内部抵抗によって、他の電位測定電極１０ｂと基準電極１７との間には殆ど電流が流れないため、他の電位測定電極１０ｂと基準電極１７との間の電位差の測定結果は、他の電位測定電極１０ｂおよび基準電極１７の接地抵抗の影響を受けることがない。
【００３５】
このように、測定対象である他の電位測定電極１０ｂの測定電位を測定する際に、別の作業によって他の電位測定電極１０ｂの接地抵抗を求めることなく、接地抵抗による影響を除去した測定電位を求めることができる。これにより、複数の電位測定電極１０・・・を均等間隔で直線的に並設する必要がなくなり、内部土壌４の形状や、各電位測定電極１０・・・を配置する間隔、或いは位置等に影響されることなく、電位測定電極１０の接地抵抗による影響を除去した測定電位を簡易に求めることができる。
【００３６】
（電位分布作成工程）
また、内部土壌４に設けた複数の電位測定電極１０・・・に対して電位測定工程を繰り返すことにより、各電位測定電極１０・・・における測定電位を求める。
その後、各測定電位に基づいて内部土壌４の電位分布を作成する。このとき、遮水シート３に漏水箇所がある場合には、漏水位置の電位分布に歪みが生じるため、その歪み位置から遮水シート３の漏水位置を特定する。特に、本発明では、電位分布から電位測定電極１０の接地抵抗による影響が除去されるとともに、漏水位置の近傍で給電することができ、遮水シート３の漏水位置における電位歪が明確に示されるため、遮水シート３の漏水位置を正確に特定することができる。
【００３７】
したがって、本発明の漏水検知方法では、複数の電位測定電極１０・・・を均等間隔で直線的に並設して、測定対象である電位測定電極１０の接地抵抗を求めることなく、接地抵抗による影響を除去した測定電位を求めることができる。このように、内部土壌４の形状や、各電位測定電極１０・・・を配置する間隔、或いは位置等に影響されることなく、電位測定電極１０の接地抵抗による影響を除去した電位分布を簡易に求めることができる。
さらに、遮水シート３が損傷して穴が生じ、漏水が発生した場合も、その漏水位置に最も近い電位測定電極１０に給電した際の電位差を測定することができるため、給電する電位測定電極１０から漏水位置までの間の電圧降下を非常に小さくすることができ、内部土壌４の比抵抗が高い場合であっても、その比抵抗による影響が少なくなり、漏水による電位歪を大きな差として把握することができる。
このようにして求めた電位分布では、遮水シート３の漏水位置における電位歪が明確に示されるため、遮水シート３の漏水位置を正確に検知することができる。
【００３８】
［第２実施形態］
次に、本発明の第２実施形態について説明する。
図３は、第２実施形態の漏水検知方法に用いる各構成要素の概略を示した側断面図である。
第２実施形態は、前記第１実施形態と略同様の構成であり、遮水シートが二重シートであるとともに、外部電極の配置が異なっている。
【００３９】
第２実施形態の遮水シート３’は、図３に示すように、所定間隔を空けて上下に配置された第１の層３ａと第２の層３ｂとから構成された二重シートであり、第１の層３ａと第２の層３ｂとの間の層間部３ｃは導電性を備えた状態となっている。例えば、導電性マットを層間部３ｃに敷設することにより、導電性を備えることができる。
さらに、第２実施形態では、外部電極１４ａおよび基準電極１７が層間部３ｃに設けられている。
【００４０】
このように、第２実施形態では、第１の層３ａと第２の層３ｂとの間の層間部３ｃが、第１実施形態における外部土壌２（図１参照）に相当し、第１の層３ａが第１実施形態における遮水シート３（図１参照）に相当することになる。
これにより、第１実施形態と同様にして求めた電位分布は、第１の層３ａを介して通電させた電流による測定電位に基づいて作成された電位分布であり、この電位分布の歪みは第１の層３ａの漏水位置を示していることになるため、第１の層３ａの漏水位置を簡易かつ正確に求めることができる。
【００４１】
［第３実施形態］
次に、本発明の第３実施形態について説明する。
図４は、第３実施形態の漏水検知方法に用いる各構成要素の概略を示した側断面図である。
第３実施形態は、前記第１実施形態と略同様の構成であり、遮水シートが二重シートであるとともに、電位測定電極の配置が異なっている。
【００４２】
第３実施形態の遮水シート３’は、図４に示すように、第１の層３ａと第２の層３ｂとから構成された二重シートであり、第２実施形態の遮水シート３’と同様の構成である。
さらに、第３実施形態では、第１の層３ａと第２の層３ｂとの間の層間部３ｃに各電位測定電極１０・・・および層間電極１９が設けられている。
なお、交流電源１２と、内部電極１３、外部電極１４および層間電極１９との接続は、切替スイッチ１５によって切り替え可能となっている。
【００４３】
そして、第３実施形態では、電位測定工程において、一の電位測定電極１０ａと、内部土壌４に設けた内部電極１３との間に通電した際に、他の電位測定電極１０ｂと基準電極１７との間に生じる電位差から、一の電位測定電極１０ａと層間電極１９との間に通電した際に、他の電位測定電極１０ｂと基準電極１７との間に生じる電位差を差し引くことにより、第１の測定電位を求める。
また、一の電位測定電極１０ａと、外部土壌２に設けた外部電極１４との間に通電した際に、他の電位測定電極１０ｂと基準電極１７との間に生じる電位差から、一の電位測定電極１０ａと層間電極１９との間に通電した際に、他の電位測定電極１０ｂと基準電極１７との間に生じる電位差を差し引くことにより、第２の測定電位を求める。
【００４４】
さらに、各電位測定電極１０・・・に対して電位測定工程を繰り返すことにより、各電位測定電極１０・・・における第１の測定電位および第２の測定電位を求める。そして、各第１の測定電位に基づいて第１の電位分布を作成するとともに、各第２の測定電位に基づいて第２の電位分布を作成する。
この第１の電位分布は、第１の層３ａを介して通電した電流による第１の測定電位に基づいて作成されているため、第１の電位分布から第１の層３ａの漏水位置を検知することができる。同様に、第２の電位分布は、第２の層３ｂを介して通電した電流による第２の測定電位に基づいて作成されているため、第２の電位分布から第２の層３ｂの漏水位置を検知することができる。
【００４５】
これにより、第３実施形態の漏水検知方法では、第１の測定電位および第２の測定電位を各々求めており、電位測定電極１０の接地抵抗に影響されない第１の電位分布および第２の電位分布を求めることにより、第１の層３ａまたは第２の層３ｂの漏水位置を簡易かつ正確に検知することができ、二重層に形成された遮水シート３’の漏水を正確に把握することができる。
【００４６】
以上、本発明の実施形態について説明したが、本発明は前記各実施形態には限定されない。例えば、第１実施形態では、図１に示すように、基準電極１７を外部土壌２に設けているが、基準電極１７を内部土壌４に設けた場合であっても、測定対象である他の電位測定電極１０ｂと基準電極１７との間で測定した電位差は、第１実施形態の測定値と同じになる。
また、第２実施形態では、図３に示すように、基準電極１７を層間部３ｃに設けているが、基準電極１７を外部土壌２または内部土壌４に設けた場合であっても、測定対象である他の電位測定電極１０ｂと基準電極１７との間で測定した電位差は、第２実施形態の測定値と同じになる。
さらに、第３実施形態では、図４に示すように、基準電極１７を外部土壌２に設けているが、基準電極１７を内部土壌４または外部土壌２或いは層間部３ｃに設けた場合であっても、測定対象である他の電位測定電極１０ｂと基準電極１７との間で測定した電位差は、第３実施形態の測定値と同じになる。
また、第３実施形態において、異なる位置に複数の基準電極１７を設け、第１の層３ａの測定の場合と、第２の層３ｂの測定の場合において、異なる基準電極１７を用いても同様の結果を得ることができる。
また、本実施形態では、交流電源を用いて給電していたが、これに限定されるものではなく、直流電源を用いてもよく、或いは、図５で示すように、矩形の電源（交差直流）を用いてもよい。
【図面の簡単な説明】
【００４７】
【図１】第１実施形態の漏水検知方法に用いる各構成要素の概略を示した側断面図である。
【図２】第１実施形態の漏水検知方法に用いる各構成要素の概略を示した平面図である。
【図３】第２実施形態の漏水検知方法に用いる各構成要素の概略を示した側断面図である。
【図４】第３実施形態の漏水検知方法に用いる各構成要素の概略を示した側断面図である。
【図５】矩形の電源を示した概念図である。
【図６】従来の漏水検知方法に用いる各構成要素の概略を示した側断面図である。
【符号の説明】
【００４８】
１      埋立地
２      外部土壌
３      遮水シート
４      内部土壌
１０    電位測定電極
１２    交流電源
１３    内部電極
１４    外部電極
１７    基準電極
１８    電位測定計
【図１】
2006126108.tif 000003
【図２】
2006126108.tif 000004
【図３】
2006126108.tif 000005
【図４】
2006126108.tif 000006
【図５】
2006126108.tif 000007
【図６】
2006126108.tif 000008